(57)【要約】【課題】自転車のペダル装置として、ペダルが常に水平な状態を取るものを提供する。【解決手段】左右に水平にのびる駆動鎖車軸１２の両端部に左右一対のクランク状クランクアーム１３を固定し、各クランクアーム１３の先端部にペダル軸１４を固定した第１のペダルクランク１１の前方部に、左右に水平にのびる回転軸１６の両端部に左右一対のクランク状クランクアーム１８を固定し、各クランクアーム１８の先端部にペダル軸１９を固定した第２のペダルクランク１６を設置し、両ペダルクランク１１、１６の左右の各ペダル軸１４、１９に、左右の板状の各ペダル２０を、後端部と前端部に形成した軸嵌合穴２１の嵌合を介して水平に枢着する。【選択図】        図１
2004231136.tif 000002
【特許請求の範囲】
【請求項１】
左右に水平にのびる駆動鎖車軸の両端部に左右一対のクランクアームを固定し、各クランクアームの先端部に外方に水平にのびるペダル軸を固定した第１のペダルクランクの前方部に、左右に水平にのびる回転軸の両端部に左右一対のクランクアームを固定し、各クランクアームの先端部に外方に水平にのびるペダル軸を固定した第２のペダルクランクを設置し、第１と第２のペダルクランクの左右の各ペダル軸に、各ペダルの後端部と前端部を各ぺダルが前後に水平にのびるように枢着してなる、自転車のペダル装置。
【請求項２】
第１と第２のペダルクランクの各クランクアームを、長さ方向の中間部において外方に屈折するクランク状に形成してなる、請求項１記載の自転車のペダル装置。
【請求項３】
第１と第２のペダルクランクの各クランクアームを、先端部に向かって外向きに傾斜させてなる、請求項１記載の自転車のペダル装置。
【発明の詳細な説明】
【０００１】
【発明の属する技術分野】
この発明は、自転車のペダル装置に関するものである。
【０００２】
【従来の技術】
周知のように、従来の自転車のペダル装置は、左右に水平にのびる駆動鎖車軸（駆動スプロケット軸）の両端部に、左右一対のクランクアームを固定し、各クランクアームの先端部に、外方に水平にのびる（突出する）ペダル軸（ペダル枢着軸）を固定したペダルクランクの各ペダル軸に、ペダルを回動自在に枢着（枢支）した構成からなっている（例えば、特許文献１、特許文献２参照）。
【０００３】
【特許文献１】
実公平６−１９１６号公報
【特許文献２】
実用新案登録第３０５５１５３号公報
【０００４】
【発明が解決しようとする課題】
しかるにこのような従来のペダル装置におけるペダル軸に対するペダルの回動自在な枢着構成には、雨天のような滑り易い時や、夜間や走り乗り等のようにペダルの確認が不十分な時などに、ペダルに対する足乗せが偏心した形になり易く、ペダルが回動して足を踏み外し、足に打撲や捻挫などの負傷をするという問題のほか、長時間の乗車でも疲れないとされる爪先によるペダル踏みがし難いという問題もある。
【０００５】
この発明は、上記のようなペダルの回動自在性による足の踏み外しや爪先によるペダル踏みの難しさの問題に鑑み、自動車のペダル装置として、ペダルが回動不能なもの、特にペダルが常に水平な状態を取るものを提供することを主要な課題としている。
【０００６】
【課題を解決するための手段】
この発明に係る自転車のペダル装置は、基本的には、請求項１に記載したように、左右に水平にのびる駆動鎖車軸の両端部に左右一対のクランクアームを固定し、各クランクアームの先端部に外方に水平にのびるペダル軸を固定した第１のペダルクランクの前方部に、左右に水平にのびる回転軸の両端部に左右一対のクランクアームを固定し、各クランクアームの先端部に外方に水平にのびるペダル軸を固定した第２のペダルクランクを設置し、第１と第２のペダルクランクの左右の各ペダル軸に、各ペダルの後端部と前端部を各ペダルが前後に水平にのびるように枢着（枢支）した構成からなる。
【０００７】
この発明のペダル装置は、要約すれば、左右の各ペダルを前端部と後端部の二点で水平に枢支することにより、常時水平な姿勢を取るように構成したもので、必然的に足の踏み外しの問題は生じ得ないとともに、爪先によるペダル踏みを難なく行うことが可能である。
【０００８】
この発明のペダル装置においては、回転軸を駆動鎖車軸に対して、第１と第２のクランクアームの長さ以上に離隔し、これにより両クランクアームが水平な回転状態において、前後に並列するようにすることもできるが、装置のコンパクト化の点から、この回転軸と駆動鎖車軸を、両クランクアームの一部が水平な回転状態において内外で隣接する状態まで接近させることが望ましい。
【０００９】
このために、請求項２に記載のように、第１と第２のペダルクランクの各クランクアームを、長さ方向の中間部において外方に屈折するクランク状に形成することができ、また請求項３に記載したように、第１と第２のペダルクランクの各クランクアームを、先端部に向かって外向きに傾斜させることができる。
【００１０】
なお前者のクランク状の構成において、屈折する中間部は中央部を含めて任意に選定することができ、また後者の傾斜構成においても、外向きの傾斜角度は適宜に選定することができる。但し後者の構成の場合には、傾斜角度を大きくすると、外側への突出量が大きくなるため、装置のコンパクト化を損なわない範囲で選定する必要がある。
【００１１】
【発明の実施の形態】
以下図１と図２及び図３と図４に基づいて、この発明に係る自転車のペダル装置の二つの実施形態を説明する。
【００１２】
まず図１と図２に示した実施形態では、車枠１０に駆動鎖車軸１２と回転軸１７を介して回転可能に支持した第１と第２のペダルクランク１１、１６の左右の各クランクアーム１３、１８は、長さ方向の中央部において外方の反車枠側に屈折したクランク状で、第１のペダルクランクの駆動鎖車軸１２と第２のペダルクランク１６の回転軸１７は、両ペダルクランク１１、１６が水平な回転状態にある時に、両者のクランクアーム１３、１８が約１／２の長さ内外において隣接するような間隔をおいて設置してあるとともに、左右の各ペダル２０は板状で、前後の端部に形成した軸嵌合穴（軸受穴）２１に、両ペダルクランク１１、１６の左右の各ペダル軸１４、１９を嵌合することにより、水平に枢着してある。
【００１３】
この実施形態は、水平な左右のペダル２０の足踏み操作を介して、第１と第２のペダルクランク１１、１６を駆動鎖車軸１２と回転軸１７の軸線周りに回転して、駆動鎖車軸１２、従って駆動鎖車１２ａを回転する。
【００１４】
次に図３と図４に示した実施形態は、第１と第２のペダルクランク１１、１６の各クランクアーム１３、１８を、先端部に向かって外向きの反車枠側に傾斜させてある点以外は、上記の実施形態と同一である。
【００１５】
この実施形態でも、水平な左右のペダル２０の足踏みにより、第１と第２のペダルクランク１１、１６の回転を介して、駆動鎖車軸１２、従って駆動鎖車１２ａを回転する。
【００１６】
この発明に係るペダル装置は、このほか種々の形態で実施することができるもので、上記の形態に限定されるものではない。
【００１７】
【発明の効果】
以上説明したように、請求項１に記載したこの発明の自転車のペダル装置によれば、ペダルが常に水平な姿勢を取ることから、足の踏み外しの問題は発生しないとともに、爪先によるペダル踏みを難なく行うことができ、従って長時間の乗車も楽に行うことができる。
【００１８】
またこのようなペダルの水平姿勢保持の点から、ペダルを下死点において走行面に近接させても支障がなく、従って車高を低くして、乗降車をし易くすることができる。
【００１９】
さらに請求項２及び請求項３に記載のこの発明のペダル装置によれば、前後方向の長さが短いコンパクト形にすることができる。
【図面の簡単な説明】
【図１】この発明に係る自転車のペダル装置の一実施形態のペダルクランクが水平な回転状態にある時の平面図である。
【図２】図１に示す実施形態のペダルクランクが垂直な回転状態にある時の側面図である。
【図３】他の実施形態の図１と同様の図である。
【図４】図３に示す実施形態の図２と同様の図である。
【符号の説明】
１０    車枠
１１    第１のペダルクランク
１２    駆動鎖車軸
１２ａ  駆動鎖車
１３    クランクアーム
１４    ペダル軸
１６    第２のペダルクランク
１７    回転軸
１８    クランクアーム
１９    ペダル軸
２０    ペダル
２１    軸嵌合穴（軸受穴）
【図１】
2004231136.tif 000003
【図２】
2004231136.tif 000004
【図３】
2004231136.tif 000005
【図４】
2004231136.tif 000006